(57)【特許請求の範囲】
【請求項１】
交流電圧を整流する整流回路の整流出力電圧を、前記交流電圧の周波数に比較して高い周波数に従ってオン，オフするスイッチング・トランジスタと、該スイッチング・トランジスタのオン期間が長い程上昇する直流出力電圧を負荷に印加する為の平滑出力用コンデンサと、前記直流出力電圧と設定値との誤差分を検出する誤差増幅器と、該誤差増幅器からの誤差分に対応して前記スイッチング・トランジスタのオン期間を制御する制御回路とを含み、前記交流電圧による電流を正弦波に近づけるスイッチング電源装置の力率改善回路に於いて、
前記平滑出力用コンデンサに流れる電流を検出して、前記直流出力電圧に含まれるリップル電圧の低レベルによる前記直流出力電圧の低下を補償するように前記誤差増幅器に帰還する電流帰還回路を設けた
ことを特徴とする力率改善回路。
【請求項２】
前記電流帰還回路は、前記平滑出力用コンデンサと前記負荷とに流れる電流を検出する抵抗の両端の電圧を入力する演算増幅器と、該演算増幅器の出力信号を、前記誤差増幅器に入力する前記直流出力電圧のリップル電圧の低レベルを補償するように前記直流出力電圧の一部に重畳するコンデンサとを含む構成を備えたことを特徴とする請求項１記載の力率改善回路。
【発明の詳細な説明】
【０００１】
【発明の属する技術分野】
本発明は、交流電圧を整流回路により整流してスイッチングし、このスイッチングのオン期間を制御して、負荷に印加する直流出力電圧を安定化するスイッチング電源装置に於ける力率改善回路に関する。
【０００２】
【従来の技術】
図１０は従来例の説明図であり、バックコンバータに適用した従来例の力率改善回路を示し、Ｌ１，Ｌ２はチョークコイル、Ｃ１〜Ｃ３，Ｃはコンデンサ、Ｒａ〜Ｒｄは抵抗、Ｄ１はダイオード、ＲＥＣは整流回路、Ｑ１はスイッチング・トランジスタ、ＯＡ１は演算増幅器、ＳＴＧは鋸歯状波発生器、ＰＷＭはパルス幅制御回路、ＲＬは負荷を示す。又Ｉａｃは交流電源からの交流電流、Ｉｄはパルス状の直流電流、Ｖｉｎは整流出力電圧、Ｖｄは負荷ＲＬに印加する直流出力電圧、Ｖｒは基準電圧を示す。
【０００３】
交流電源は、例えば、１００Ｖ或いは２００Ｖの５０Ｈｚ或いは６０Ｈｚの商用電源とする場合が一般的であり、チョークコイルＬ１とコンデンサＣ１とによる入力フィルタを介して整流回路ＲＥＣに交流電圧を印加し、この整流回路ＲＥＣにより全波整流し、スイッチング・トランジスタＱ１によりオン，オフして、チョークコイルＬ２とコンデンサＣ２，Ｃ３とダイオードＤ１とを含む平滑回路に入力する。コンデンサＣ２は、スイッチングによる高調波に対して特性を良くしたコンデンサであり、又コンデンサＣ３は容量を大きくして直流出力電圧Ｖｄの安定化を図る整流出力用コンデンサである。
【０００４】
この整流出力用コンデンサＣ３の端子電圧の直流出力電圧Ｖｄを負荷ＲＬに印加し、且つ抵抗Ｒａ，Ｒｂにより分圧して直流出力電圧Ｖｄを検出し、演算増幅器ＯＡ１により基準電圧Ｖｒと比較する。この演算増幅器ＯＡ１は、抵抗Ｒｃ，ＲｄとコンデンサＣとの帰還回路により誤差増幅器を構成しており、直流出力電圧Ｖｄと、基準電圧Ｖｒに対応する設定値との誤差分をパルス幅制御回路ＰＷＭに入力する。
【０００５】
このパルス幅制御回路ＰＷＭは、誤差増幅器の出力信号と、鋸歯状波発生器ＳＴＧからの数１０ｋＨｚ〜数１００ｋＨｚの周波数の鋸歯状波信号とを比較し、負荷ＲＬに印加するコンデンサＣ３の端子電圧、即ち、直流出力電圧Ｖｄが上昇すると、鋸歯状波信号の周波数に従ったパルス信号のパルス幅を狭くし、反対に、直流出力電圧Ｖｄが低下すると、パルス幅を広くして、このパルス幅に従ってスイッチング・トランジスタＱ１のオン期間を制御し、負荷ＲＬに印加する直流出力電圧Ｖｄを設定値となるように制御するものである。
【０００６】
この場合の誤差増幅器の応答速度は、抵抗ＲｄとコンデンサＣとの値に対応することになり、通常は応答速度を遅くして、僅かな出力電圧（負荷ＲＬに印加する電圧）の変動によってもパルス幅制御回路ＰＷＭからのパルス幅を一定とする場合が一般的である。
【０００７】
図１１は従来例の動作説明図であり、（Ａ）は整流出力電圧Ｖｉｎと直流出力電圧Ｖｄとリップル電圧Ｖｒｐとの波形の概要を示し、又（Ｂ）は理想状態のスイッチング・トランジスタＱ１を介して流れる電流Ｉｄと、交流電源から流入する交流電流Ｉａｃとの概要を示す。
【０００８】
通常は、リップル電圧Ｖｒｐに応答しないように、誤差増幅器の応答速度を遅くするものである。従って、直流出力電圧Ｖｄが一定の場合、パルス幅制御回路ＰＷＭは、一定のパルス幅のオン信号をスイッチング・トランジスタＱ１に加えることになり、電流Ｉｄは、整流出力電圧Ｖｉｎに対応したレベルで、それぞれ同一のパルス幅となる。即ち、ｔ１＝ｔ２となる。従って、交流電源からの交流電流Ｉａｃは、点線で示すように、電流Ｉｄの平均値に相当し、整流出力電圧Ｖｉｎの位相にほぼ一致し、且つ正弦波に近い波形となる。即ち、力率を改善することができる。
【０００９】
又図１１の（Ｃ）は、負荷ＲＬの急変に対しても直流出力電圧Ｖｄを安定化するには、誤差増幅器の応答速度を速くすることになり、その場合の電流Ｉｄと交流電流Ｉａｃとの概要を示す。即ち、（Ａ）に示すリップル電圧Ｖｒｐに応答することになり、このリップル電圧Ｖｒｐが直流出力電圧Ｖｄの設定値以下のレベルとなると、誤差増幅器の出力信号に対応してパルス幅制御回路ＰＷＭからスイッチング・トランジスタＱ１のオン期間をパルス幅ｔ１のように広くし、反対に、リップル電圧Ｖｒｐが設定値以上のレベルとなると、誤差増幅器の出力信号に対応してパルス幅制御回路ＰＷＭからスイッチング・トランジスタＱ１のオン期間をパルス幅ｔ２のように狭くすることになる。それにより、リップル電圧Ｖｒｐのレベルが低く、且つ整流出力電圧Ｖｉｎのレベルが高い時に、パルス幅が広くなって大きな電流Ｉｄが流れるから、交流電流Ｉａｃはピーク波形を示すこととなり、正弦波形とは異なる波形となる。
【００１０】
【発明が解決しようとする課題】
前述のように、負荷ＲＬの急激な変動に対しても、直流出力電圧Ｖｄを一定化して、負荷ＲＬの安定動作を行わせる場合、コンデンサＣ２，Ｃ３の容量を大きくして変動分を吸収するか、又は誤差増幅器の応答速度を速くして変動分に追従させることが必要となる。コンデンサの容量を大きくすることは、コスト的にも又スペース的にも問題がある。又誤差増幅器の応答速度を速くすると、リップル電圧Ｖｒｐに応答して、パルス幅制御回路ＰＷＭを制御することになる。このリップル電圧Ｖｒｐは、コンデンサに流れる電流よりπ／２遅れることにより、力率を悪化させる。
【００１１】
即ち、図１１の（Ｃ）に概要を示すように、整流出力電圧Ｖｉｎとリップル電圧Ｖｒｐとの位相が異なるものであり、整流出力電圧Ｖｉｎが高い時に、リップル電圧Ｖｒｐが低いレベルとなると、高速応答の誤差増幅器は、直流出力電圧Ｖｉｎの低下と同様な誤差出力信号をパルス幅制御回路ＰＷＭに加えるから、スイッチング・トランジスタＱ１のオン期間が長くなり、大きな電流Ｉｄが流れる。それにより、交流電源からの交流電流Ｉａｃは、正弦波と大きく異なるピークを有する波形となり、力率が悪化する問題がある。
本発明は、負荷の変動に高速に応答して出力電圧を安定化すると共に、力率を改善することを目的とする。
【００１２】
本発明の力率改善回路は、（１）交流電圧を整流する整流回路ＲＥＣの整流出力電圧を、交流電圧の周波数に比較して高い周波数に従ってオン，オフするスイッチング・トランジスタＱ１と、このスイッチング・トランジスタＱ１のオン期間が長い程上昇する直流出力電圧Ｖｄを負荷ＲＬに印加する為の平滑出力用コンデンサＣ３と、直流出力電圧と設定値との誤差分を検出する誤差増幅器と、この誤差増幅器からの誤差分に対応して前記スイッチング・トランジスタＱ１のオン期間を制御する制御回路とを含み、交流電圧による電流を正弦波に近づけるスイッチング電源装置の力率改善回路であって、平滑出力用コンデンサＣ３に流れる電流を検出して、直流出力電圧Ｖｄに含まれるリップル電圧の低レベルによる直流出力電圧Ｖｄの低下を補償するように、誤差増幅器に帰還する電流帰還回路ＦＢＫを設けた構成を備えている。
【００１３】
又（２）電流帰還回路ＦＥＫは、平滑出力用コンデンサＣ３と負荷ＲＬとに流れる電流を検出する抵抗Ｒ０の両端の電圧を入力する演算増幅器ＯＡ２と、この演算増幅器ＯＡ２の出力信号をコンデンサＣ５を介して、誤差増幅器に入力する直流出力電圧の一部に重畳する構成を備えている。
【００１４】
【発明の実施の形態】
図１は本発明の実施の形態の説明図であり、Ｌ１，Ｌ２はチョークコイル、Ｃ１〜Ｃ５はコンデンサ、Ｒ０〜Ｒ９は抵抗、Ｄ１はダイオード、Ｑ１はスイッチング・トランジスタ、ＯＡ１，ＯＡ２は演算増幅器、ＲＥＣは整流回路、ＲＬは負荷、ＰＷＭはパルス幅制御回路、ＳＴＧは鋸歯状波発生器、ＦＢＫは電流帰還回路を示す。又Ｉａｃは交流電源からの交流電流、Ｉｄはパルス状の直流電流、Ｖｉｎは整流出力電圧、Ｖｄは負荷ＲＬに印加する直流出力電圧、Ｖｒは基準電圧を示す。
【００１５】
この実施の形態は、バックコンバータに適用した場合を示し、負荷の変動に高速に応答して出力電圧を安定化できるように、演算増幅器ＯＡ１と抵抗Ｒ４，Ｒ５とコンデンサＣ４とによる誤差増幅器の応答速度を速くし、且つ平滑出力用のコンデンサＣ３と負荷ＲＬとに流れる電流を抵抗Ｒ０により検出して、誤差増幅器に帰還する電流帰還回路ＦＢＫを設けて、力率を改善するものである。
【００１６】
この電流帰還回路ＦＢＫは、抵抗Ｒ６〜Ｒ９とコンデンサＣ５と演算増幅器ＯＡ２とからなる場合を示し、抵抗Ｒ０の両端の電圧を抵抗Ｒ６，Ｒ７を介して演算増幅器ＯＡ２の−端子と＋端子にそれぞれ入力し、抵抗Ｒ０の両端の電圧に対応した演算増幅器ＯＡ２の出力信号を抵抗Ｒ９とコンデンサＣ５とを介して、抵抗Ｒ２，Ｒ３の接続点に加える。
【００１７】
抵抗Ｒ０に流れる電流は、負荷ＲＬに流れる電流と整流出力用のコンデンサＣ３に流れる電流とを含み、負荷ＲＬに流れる電流は通常は一定であるが、整流平滑用のコンデンサＣ３に流れる電流は変化する。従って、演算増幅器ＯＡ２の出力信号は、負荷ＲＬに流れる電流と平滑出力用のコンデンサＣ３に流れる電流との和を示すものとなるが、コンデンサＣ５により直流成分がカットされるから、結局は、平滑出力用のコンデンサＣ３に流れる電流を検出して、抵抗Ｒ２，Ｒ３の接続点に帰還していることになる。
【００１８】
又抵抗Ｒ２，Ｒ３は、抵抗Ｒ１と共に直流出力電圧Ｖｄを検出する為のものであり、抵抗Ｒ１，Ｒ２の接続点を直流出力電圧Ｖｄの検出点として演算増幅器ＯＡ１の−端子に入力し、＋端子に基準電圧Ｖｒを入力して、基準電圧Ｖｒに対する差分の信号をパルス幅制御回路ＰＷＭに入力する。このパルス幅制御回路ＰＷＭは、スイッチング・トランジスタＱ１のオン期間を制御する制御回路であり、従来例と同様に、鋸歯状波発生器ＳＴＧからの鋸歯状波信号と、誤差増幅器の出力信号とを比較して、スイッチング・トランジスタＱ１のオン期間を制御するパルス幅の信号を出力する。
【００１９】
誤差増幅器に入力される直流出力電圧Ｖｄの検出値に、電流帰還回路ＦＢＫからの平滑出力用コンデンサＣ３に流れる電流の検出値が重畳されるもので、この電流検出値は、リップル電圧Ｖｒｐの低レベルの状態を補償するように電圧検出値に重畳される。従って、リップル電圧Ｖｒｐが低レベルで、恰も直流出力電圧Ｖｄが低下して、それに追従するように、スイッチング・トランジスタＱ１のオン期間を長くしようとした場合に、リップル電圧Ｖｒｐが低レベルでないように電流検出値により補償するから、リップル電圧Ｖｒｐに影響されないで、スイッチング・トランジスタＱ１のオン，オフ制御を可能とすることができる。それによって、交流電流Ｉａｃがピーク状となることを回避して、力率を改善することができる。この場合、抵抗Ｒ２，Ｒ３の選定により、平滑出力用のコンデンサＣ３に流れる電流の検出値の帰還量を設定することができる。
【００２０】
図２は本発明の実施の形態の動作説明図であり、（Ａ）は図１１の（Ａ）と同様な整流出力電圧Ｖｉｎと、直流出力電圧Ｖｄと、リップル電圧Ｖｒｐとの概要の波形を示し、更に、電流帰還回路ＦＢＫによる帰還電圧Ｖｆｄを点線で示す。即ち、抵抗Ｒ１〜Ｒ３により検出したリップル電圧Ｖｒｐに、電流帰還回路ＦＢＫからの平滑出力用コンデンサＣ３に流れる電流に対応した帰還電圧Ｖｆｄを重畳するものである。又（Ｂ）は図１１の（Ｂ）とほぼ同様な電流Ｉｄと交流電流Ｉａｃとの概要の波形を示す。
【００２１】
図２の（Ａ）に示すように、リップル電圧Ｖｒｐが低レベルとなった時に、電流帰還回路ＦＢＫの帰還電圧Ｖｆｄがリップル電圧Ｖｒｐに重畳された状態となるから、誤差増幅器は、リップル電圧Ｖｒｐが低レベルではないと判定した信号をパルス幅制御回路ＰＷＭに入力することになる。それによって、直流出力電圧Ｖｄが一定の場合のリップル電圧Ｖｒｐに対して、スイッチング・トランジスタＱ１のオン期間を広くすることなく、パルス幅をほぼ一定として制御するから、図２の（Ｂ）に示すような電流Ｉｄが流れ、それによって、交流電源からの交流電流Ｉａｃは、点線で示すように、ほぼ正弦波状の波形となる。
【００２２】
又負荷ＲＬの急変による直流出力電圧Ｖｄの変動については、応答速度の速い誤差増幅器が検出し、それに対応した誤差分によりパルス幅制御回路ＰＷＭはスイッチング・トランジスタＱ１のオン期間を制御するから、直流出力電圧Ｖｄの安定化を図ることができる。即ち、誤差増幅器の応答速度を速くして、負荷ＲＬの変動に伴う直流出力電圧Ｖｄの変動を抑圧して安定化を図ると共に、力率を改善することができる。
【００２３】
図３はブーストコンバータに適用した力率改善回路の説明図であり、図１と接続構成は異なるが、同一符号は同一部分を示す。このブーストコンバータは、スイッチング・トランジスタＱ１をオンとすることにより、チョークコイルＬ２に電流を流してエネルギーを蓄積し、スイッチング・トランジスタＱ１をオフとした時に、チョークコイルＬ２に蓄積されたエネルギーにより、ダイオードＤ１を介してコンデンサＣ２，Ｃ３に充電電流を流し、平滑出力用のコンデンサＣ３の端子電圧を直流出力電圧Ｖｄとして負荷ＲＬに印加する。
【００２４】
又この直流出力電圧Ｖｄと設定値との差分を演算増幅器ＯＡ１を含む誤差増幅器により求めてパルス幅制御回路ＰＷＭを制御し、このパルス幅制御回路ＰＷＭによりスイッチング・トランジスタＱ１のオン期間を制御し、直流出力電圧Ｖｄの安定化を図るものであり、更に、誤差増幅器の応答速度を速くしたことによりリップル電圧にも応答することになるが、電流帰還回路ＦＢＫを設けて、平滑出力用コンデンサＣ３に流れる電流成分を基にした帰還電圧を誤差増幅器に帰還することにより、リップル電圧が低レベルの時のパルス幅の拡大を回避する。それによって、交流電源からの交流電流の波形をほぼ正弦波形として、力率を改善するものである。
【００２５】
図４はバックブーストコンバータに適用した力率改善回路の説明図であり、図１と接続構成は異なるが、同一符号は同一部分を示す。このバックブーストコンバータは、スイッチング・トランジスタＱ１をオンとすることにより、チョークコイルＬ２に電流を流してエネルギーを蓄積し、スイッチング・トランジスタＱ１をオフとすることにより、チョークコイルＬ２に蓄積されたエネルギーにより、ダイオードＤ１を介してコンデンサＣ，Ｃ３に充電電流を流し、平滑出力用のコンデンサＣ３の端子電圧を直流出力電圧Ｖｄとして負荷ＲＬに印加する。
【００２６】
又バックブーストコンバータは、図３のブーストコンバータに比較して、直流出力電圧Ｖｄの極性が反転している点が異なり、この直流出力電圧Ｖｄと設定値との差分を演算増幅器ＯＡ１を含む誤差増幅器により求めてパルス幅制御回路ＰＷＭを制御し、このパルス幅制御回路ＰＷＭによりスイッチング・トランジスタＱ１のオン期間を制御し、直流出力電圧Ｖｄの安定化を図り、又誤差増幅器の応答速度を速くしたことによりリップル電圧にも応答することになるが、抵抗Ｒ０により検出した電流検出信号を入力する電流帰還回路ＦＢＫを設けて、平滑出力用コンデンサＣ３に流れる電流成分を基にした帰還電圧を誤差増幅器に帰還し、リップル電圧が低レベルの時のパルス幅の拡大を回避する。それにより、交流電源からの交流電流の波形をほぼ正弦波形として、力率を改善するものである。
【００２７】
又前述の図１，図３，図４に示す構成は、交流電源に直接的に整流回路ＲＥＣを接続して全波整流する場合を示すが、交流電源との間にトランスを設け、所望の電圧として整流回路ＲＥＣにより整流する構成とすることも可能である。
【００２８】
図５はフォワードコンバータに適用した力率改善回路の説明図であり、図１の各部と機能が同一の部分に同一の符号を付与して示し、Ｔ１はトランス、Ｄ１，Ｄ２はダイオードを示す。交流電圧を整流回路ＲＥＣにより整流した整流出力電圧をスイッチング・トランジスタＱ１によりオン，オフしてトランスＴ１の一次巻線に印加し、この一次巻線に流れる電流に対応した二次巻線の誘起電圧を、ダイオードＤ１，Ｄ２とチョークコイルＬ２とコンデンサＣ２，Ｃ３とからなる整流平滑回路により、整流平滑化して直流出力電圧とし、負荷ＲＬに印加する。
【００２９】
又この直流出力電圧と設定値との差分を演算増幅器ＯＡ１を含む誤差増幅器により求めてパルス幅制御回路ＰＷＭを制御し、このパルス幅制御回路ＰＷＭによりスイッチング・トランジスタＱ１のオン期間を制御し、直流出力電圧の安定化を図るものであり、更に、前述の場合と同様に、誤差増幅器の応答速度を速くしたことによりリップル電圧にも応答することになるが、電流帰還回路ＦＢＫを設けて、平滑出力用コンデンサＣ３に流れる電流成分を基にした帰還電圧を誤差増幅器に帰還することにより、リップル電圧が低レベルの時のパルス幅の拡大を回避する。それによって、交流電源からの交流電流の波形をほぼ正弦波形として、力率を改善するものである。
【００３０】
図６はフライバックコンバータに適用した力率改善回路の説明図であり、図５と同一機能部分に同一の符号を付与して示すもので、交流電圧を整流回路ＲＥＣにより整流した整流出力電圧をスイッチング・トランジスタＱ１によりオン，オフしてトランスＴ１の一次巻線に印加し、スイッチング・トランジスタＱ１のオフ時に二次巻線に誘起する電圧をダイオードＤ１により整流して、コンデンサＣ２，Ｃ３に加え、その端子電圧を直流出力電圧として負荷ＲＬに印加する。
【００３１】
又この直流出力電圧と設定値との差分を演算増幅器ＯＡ１を含む誤差増幅器により求めてパルス幅制御回路ＰＷＭを制御し、このパルス幅制御回路ＰＷＭによりスイッチング・トランジスタＱ１のオン期間を制御し、負荷ＲＬに印加する直流出力電圧の安定化を図るものであり、更に、前述の場合と同様に、誤差増幅器の応答速度を速くしたことによりリップル電圧にも応答することになるが、電流帰還回路ＦＢＫを設けて、平滑出力用コンデンサＣ３に流れる電流成分を基にした帰還電圧を誤差増幅器に帰還することにより、リップル電圧が低レベルの時のパルス幅の拡大を回避する。それによって、交流電源からの交流電流の波形をほぼ正弦波形として、力率を改善するものである。
【００３２】
図７はブリッジコンバータに適用した力率改善回路の説明図であり、図５及び図６と同一機能部分に同一の符号を付与して示し、Ｔ２はトランス、Ｑ１〜Ｑ４はスイッチング・トランジスタ、Ｃ６はコンデンサ、Ｄ３，Ｄ４はダイオード、ＤＶは分周回路である。
【００３３】
整流回路ＲＥＣの整流出力電圧を、スイッチング・トランジスタＱ１，Ｑ４をオンとして、トランスＴ２の一次巻線にコンデンサＣ６を介して印加し、次にスイッチング・トランジスタＱ２，Ｑ３をオンとして、トランスＴ２の一次巻線に逆方向の整流出力電圧をコンデンサＣ６を介して印加し、中点タップを有する二次巻線の誘起電圧をダイオードＤ３，Ｄ４により整流し、チョークコイルＬ２とコンデンサＣ２，Ｃ３とにより平滑化して直流出力電圧とし、この直流出力電圧を負荷ＲＬに印加する。
【００３４】
又この直流出力電圧と設定値との差分を演算増幅器ＯＡ１を含む誤差増幅器により求めてパルス幅制御回路ＰＷＭを制御し、このパルス幅制御回路ＰＷＭによりスイッチング・トランジスタＱ１〜Ｑ４のオン期間を制御するものであるが、分周回路ＤＶにより分周し、スイッチング・トランジスタＱ１，Ｑ４のゲートに加える信号と、スイッチング・トランジスタＱ２，Ｑ３のゲートに加える信号との位相差をπとするものであり、それによって、スイッチング・トランジスタＱ１，Ｑ４とスイッチング・トランジスタＱ２，Ｑ３とは、鋸歯状波の周期に従って交互にパルス幅制御に従ってオンとなる。
【００３５】
又平滑出力用のコンデンサＣ３の端子電圧を直流出力電圧として負荷ＲＬに印加し、且つ抵抗Ｒ１，Ｒ２，Ｒ３によって直流出力電圧を検出し、基準電圧Ｖｒと演算増幅器ＯＡ１により比較して誤差分をパルス幅制御回路ＰＷＭに入力し、誤差分が零となるように、スイッチング・トランジスタＱ１〜Ｑ４のオン期間を決めるパルス幅制御を行う。更に、前述の場合と同様に、誤差増幅器の応答速度を速くしたことによりリップル電圧にも応答することになるが、電流帰還回路ＦＢＫを設けて、平滑出力用コンデンサＣ３に流れる電流成分を基にした帰還電圧を誤差増幅器に帰還することにより、リップル電圧が低レベルの時のパルス幅の拡大を回避する。それによって、交流電源からの交流電流の波形をほぼ正弦波形として、力率を改善するものである。
【００３６】
図８はハーフブリッジコンバータに適用した力率改善回路の説明図であり、図７と同一機能部分に同一符号を付与して示し、Ｃ７，Ｃ８はコンデンサである。スイッチング・トランジスタＱ１をオンとすると、トランスＴ２の一次巻線に、整流回路ＲＥＣの整流出力電圧がコンデンサＣ８を介して印加され、コンデンサＣ７の充電電荷が一次巻線を介して放電する。次の周期にスイッチング・トランジスタＱ２をオンとすると、トランスＴ２の一次巻線に、整流回路ＲＥＣの整流出力電圧がコンデンサＣ７を介して印加され、且つコンデンサＣ８の充電電荷が一次巻線を介して放電する。従って、トランスＴ２の一次巻線に交互に反対方向の電流が流れる。このハーフブリッジコンバータは、図７のブリッジコンバータに比較して、例えば、スイッチング・トランジスタの個数を１／２とすることができる。
【００３７】
そして、トランスＴ２の中点タップを有する二次巻線の誘起電圧をダイオードＤ３，Ｄ４により整流し、チョークコイルＬ２とコンデンサＣ２，Ｃ３とにより平滑化して直流出力電圧とし、この直流出力電圧を負荷ＲＬに印加する。又誤差増幅器により直流出力電圧と設定値との誤差分を求めてパルス幅制御回路ＰＷＭに入力し、分周回路ＤＶにより２分周して、スイッチング・トランジスタＱ１，Ｑ２を交互に制御し、更に、誤差増幅器の応答速度を速くしたことによるリップル電圧に対する応答によって、リップル電圧が低レベルの時のパルス幅の拡大を回避する為の電流帰還回路ＦＢＫを設けており、この電流帰還回路ＦＢＫは、平滑出力用コンデンサＣ３に流れる電流成分を基にした帰還電圧を誤差増幅器に帰還することにより、リップル電圧が低レベルの期間の補償を行うものである。
【００３８】
図９はリンギングコンバータに適用した力率改善回路の説明図であり、図５と同一機能部分に同一符号を付与して示し、Ｔ３はトランス、Ｒ１１〜Ｒ１５は抵抗、ＰＣはホトカプラ、Ｃ１１，Ｃ１２はコンデンサ、Ｑ５はトランジスタ、Ｄ５はダイオードを示す。
【００３９】
トランジスタＱ５がオフの時に、スイッチング・トランジスタＱ１のゲートに抵抗Ｒ１１を介して電圧が印加されてオンとなり、整流回路ＲＥＣの整流出力電圧がトランスＴ３の一次巻線に印加され、その一次巻線に流れる電流によって、三次巻線に電圧が誘起し、ホトカプラＰＣのホトトランジスタがオフであると、抵抗Ｒ１３，Ｒ１４とコンデンサＣ１２との回路を介してトランジスタＱ５のベースに誘起電圧が印加され、ベース電圧はＣＲ時定数に従って上昇し、閾値以上に上昇すると、トランジスタＱ５はオンとなり、それによりスイッチング・トランジスタＱ１のゲート電圧を低下するから、スイッチング・トランジスタＱ１はオフとなる。
【００４０】
このスイッチング・トランジスタＱ１のオフによるトランスＴ３の二次巻線の誘起電圧をダイオードＤ１により整流し、コンデンサＣ２，Ｃ３を充電し、その端子電圧を直流出力電圧として負荷ＲＬに印加する。又この直流出力電圧を抵抗Ｒ１，Ｒ２，Ｒ３によって検出し、基準電圧Ｖｒと演算増幅器ＯＡ１により比較し、例えば、直流出力電圧が高い場合には、ホトカプラＰＣのホトダイオードに抵抗Ｒ１５を介して流す電流を増加し、このホトダイオードと光学的に結合したホトトランジスタに流れる電流を多くし、それにより、トランジスタＱ５のベースに接続したＣＲ時定数回路の時定数を等価的に小さくして、トランジスタＱ５のベース電圧の上昇を速くし、このトランジスタＱ５がオンするとにより、スイッチング・トランジスタＱ１のゲート電圧を低下させて、スイッチング・トランジスタＱ１をオフとする。即ち、スイッチング・トランジスタＱ１のオン期間を短くして、前述のパルス幅制御回路ＰＷＭによるパルス幅制御の場合と同様に、直流出力電圧を設定値となるように制御することができる。
【００４１】
更に、前述の場合と同様に、誤差増幅器の応答速度を速くしたことにより、リップル電圧にも応答することになるが、抵抗Ｒ０により電流を検出して電流帰還回路ＦＢＫに入力し、平滑出力用のコンデンサＣ３に流れる電流成分を基にした帰還電圧を、演算増幅器ＯＡ１を含む誤差増幅器に帰還し、パルス幅制御回路ＰＷＭに対応するトランジスタＱ５を含む制御回路によりスイッチング・トランジスタＱ１を制御し、リップル電圧が低レベルの時のスイッチング・トランジスタＱ１のオン期間が広くならないように制御し、交流電源からの交流電流の波形をほぼ正弦波形として、力率を改善するものである。
【００４２】
本発明は、前述の各実施の形態にのみ限定されるものではなく、各種の形式のスイッチング電源装置に対しても適用可能である。又スイッチング・トランジスタＱ１は電界効果トランジスタ（ＦＥＴ）の表示で示しているが、他の形式のスイッチング素子を用いることも可能である。又誤差増幅器や電流帰還回路ＦＢＫは、演算増幅器ＯＡ１，ＯＡ２の特性等に対応して、他の回路形式を適用することも可能である。又コンデンサＣ２，Ｃ３を分離して示しているが、共通の１個のコンデンサとすることも勿論可能である。
【００４３】
【発明の効果】
以上説明したように、本発明は、整流回路ＲＥＣの整流出力電圧Ｖｉｎをスイッチング・トランジスタＱ１によりオン，オフし、平滑出力用コンデンサＣ３の端子電圧の直流出力電圧Ｖｄが設定値となるように安定化するスイッチング電源装置の力率改善回路であり、平滑出力用コンデンサに流れる電流を検出して誤差増幅器に帰還する電流帰還回路ＦＢＫを設けたことにより、誤差増幅器の応答速度を速くして、直流出力電圧Ｖｄの安定化を図ると共に、リップル電圧の低レベルを補償して、リップル電圧Ｖｒｐによりスイッチング・トランジスタＱ１のオン，オフの期間が影響されないようにし、交流電源からの交流電流Ｉａｃの波形をほぼ正弦波状として力率を改善することができる利点がある。
【図面の簡単な説明】
【図１】本発明の実施の形態の説明図である。
【図２】本発明の実施の形態の動作説明図である。
【図３】ブーストコンバータに適用した力率改善回路の説明図である。
【図４】バックブーストコンバータに適用した力率改善回路の説明図である。
【図５】フォワードコンバータに適用した力率改善回路の説明図である。
【図６】フライバックコンバータに適用した力率改善回路の説明図である。
【図７】ブリッジコンバータに適用した力率改善回路の説明図である。
【図８】ハーフブリッジコンバータに適用した力率改善回路の説明図である。
【図９】リンギングコンバータに適用した力率改善回路の説明図である。
【図１０】従来例の説明図である。
【図１１】従来例の動作説明図である。
【符号の説明】
Ｑ１  スイッチング・トランジスタ
ＲＥＣ  整流回路
Ｃ１，Ｃ２，Ｃ３，Ｃ５  コンデンサ
Ｃ３  平滑出力用コンデンサ
ＲＬ  負荷
Ｌ１，Ｌ２  チョークコイル
Ｄ１  ダイオード
Ｒ０〜Ｒ９  抵抗
ＯＡ１，ＯＡ２  演算増幅器
ＰＷＭ  パルス幅制御回路
ＳＴＧ  鋸歯状波発生器
ＦＢＫ  電流帰還回路
【図１】
0003613323.tif 000002
【図２】
0003613323.tif 000003
【図３】
0003613323.tif 000004
【図４】
0003613323.tif 000005
【図５】
0003613323.tif 000006
【図６】
0003613323.tif 000007
【図７】
0003613323.tif 000008
【図８】
0003613323.tif 000009
【図９】
0003613323.tif 000010
【図１０】
0003613323.tif 000011
【図１１】
0003613323.tif 000012